(57)【要約】【課題】複数の発光素子（ＬＥＤ）を少ない制御端子に入力される表示制御信号により選択的に点灯又は消灯制御する表示装置およびその制御方法を提供する。【解決手段】表示装置２０を構成する複数の発光素子２２ａ〜２２ｌを相互に逆極性で並列接続された対２２ａ−２２ｂ、２２ｃ−２２ｄ、２２ｅ−２２ｆ、・・・、２２ｋ−２２ｌとし、複数の制御端子２３ａ〜２３ｄのうち各対の制御端子２３ａ−２３ｂ、２３ｂ−２３ｃ、・・・間に接続される。そして、選択された制御端子２３の対にＨ（高レベル）又はＬ（低レベル）、その他の制御端子にＺ（ハイインピーダンス）の論理（ロジック）制御信号を入力する。【選択図】図１
2007249097.tif 000002
【特許請求の範囲】
【請求項１】
制御信号に基づいて複数の発光素子のうち選択された１個に駆動電流を流して発光させて表示する表示装置において、
前記制御信号が入力される複数の制御端子と、該複数の制御端子のうち各制御端子対間にそれぞれ対として相互に逆極性で並列接続された前記発光素子とを備え、
前記制御信号は、前記複数の制御端子対のうち点灯したい発光素子を含む発光素子対が接続されている制御端子対をＨ（高レベル）又はＬ（低レベル）とし、残りの制御端子をＺ（ハイインピーダンス）とすることを特徴とする表示装置。
【請求項２】
前記複数の発光素子は、それぞれ所定位置に配置されたＬＥＤ（発光ダイオード）であることを特徴とする請求項１に記載の表示装置。
【請求項３】
前記制御端子には、予め決められた抵抗値を有する抵抗が直列接続されることを特徴とする請求項１又は２に記載の表示装置。
【請求項４】
前記制御端子に入力される前記制御信号は、トライステート論理回路から出力されることを特徴とする請求項１、２又は３に記載の表示装置。
【請求項５】
複数の発光素子のうち制御信号に応じて選択された１個の発光素子を点灯する表示装置の表示制御方法において、
前記複数の発光素子をそれぞれ相互に逆極性で並列接続された１対の発光素子を含む対とするステップと、
該ステップで対とされた発光素子をそれぞれ複数の制御端子の異なる１対の制御端子間に接続するステップと、
前記複数対の制御端子のうち何れか１対の制御端子をＨ又はＬとし、残りの全ての制御端子をＺとする制御信号を入力するステップとを備え、
前記Ｈ又はＬの制御信号が入力された前記１対の発光素子のうち前記制御信号のＨ又はＬで決まる何れか一方の発光素子を点灯することを特徴とする表示装置の表示制御方法。
【請求項６】
前記複数の発光素子を、アプリケーションにより決まる所定位置に配列するステップを更に備えることを特徴とする請求項５に記載の表示装置の表示制御方法。
【請求項７】
前記制御信号は、前記複数の制御端子に入力する前記Ｈ、ＬおよびＺを予めプログラムされ、前記複数の発光素子をダイナミック表示するステップを更に備えることを特徴とする請求項５又は６に記載の表示装置の表示制御方法。
【請求項８】
前記複数の発光素子の発光色を異なる色に予め選定するステップを更に備えることを特徴とする請求項５、６又は７に記載の表示装置の表示制御方法。
【発明の詳細な説明】
【技術分野】
【０００１】
本発明は表示装置およびその表示制御方法に関し、特に所定の大きさの駆動電流を流すことにより発光する複数のＬＥＤ（発光ダイオード）を使用する表示装置およびその表示制御方法に関する。
【背景技術】
【０００２】
検出器や指示器その他の電子機器、電子計測機器等には、検出値や測定レベル等の表示を行う表示装置が使用される。斯かる表示装置の表示素子としては、低消費電力、長寿命且つ高発光輝度を有するＬＥＤが多用されている。例えば多数のＬＥＤを表示パネルに１列に配置し、制御信号によりそれらのＬＥＤに選択的に駆動電流を流すことによりレベルや位置を表示することが可能である。
【０００３】
斯かるＬＥＤを使用する表示装置の従来例は、幾つかの技術文献に開示されている。図４は、ＬＥＤを使用する最も簡単な表示装置の１例を示す。この表示装置では、一端が正電源（例えば、＋５Ｖ）に接続された抵抗（電流制限抵抗）４１、この抵抗４１の他端にアノードが接続されたＬＥＤ４２およびこのＬＥＤ４２のカソードに接続された制御端子４３により構成される。
【０００４】
図４に示す従来の表示装置４０では、制御端子４３に入力される制御信号の電圧がＨ（高レベル）又はＬ（低レベル）に応じて、ＬＥＤ４２の点灯が制御可能である。即ち、図４に示す表示装置４０では、制御端子４３の制御信号がＨ（例えば、＋５Ｖ）のとき、抵抗４１およびＬＥＤ４２には電流が流れないので、ＬＥＤ４２は点灯することなく、消灯状態である。しかし、制御信号がＬ（例えば、０Ｖ）のとき、電源電圧と制御信号の電圧差により、抵抗４１およびＬＥＤ４２には、これら電圧差と抵抗４１の抵抗値で決まる駆動電流が流れる。この駆動電流を、ＬＥＤ４２の発光に必要な大きさに選定することにより、ＬＥＤ４２を点灯することが可能である。また、必要に応じて、抵抗４１の抵抗値を可変することにより、ＬＥＤ４２の発光輝度を、周囲の照明状態その他の条件により調節可能である。
【０００５】
次に、図５は、図４に示す表示装置４０の原理を使用して、複数（図５の特定例では１２個）のＬＥＤを選択的に発光させる従来の表示装置の一例を示す。この表示装置５０の具体例では、１２個のＬＥＤ５２ａ〜５２ｌ、７個の制御端子５３ａ〜５３ｇおよび４個の抵抗５１ａ〜５１ｄにより構成される。
【０００６】
７個の制御端子５３ａ〜５３ｇのうち４個の制御端子５３ａ〜５３ｄは、抵抗５１ａ〜５１ｄの一端が接続され、後述の如く選択的に正電圧が入力（又は供給）される。これら抵抗５１ａ〜５１ｄの他端は、上述したＬＥＤ５２ａ〜５２ｌのうちの複数のＬＥＤのアノードに接続される。更に、具体的に説明すると、抵抗５１ａの他端は３個のＬＥＤ５２ａ、５２ｅおよび５２ｉのアノードに、抵抗５１ｂの他端は別の３個のＬＥＤ５２ｂ、５２ｆおよび５２ｊのアノードに接続され、抵抗５１ｃの他端は更に他の３個のＬＥＤ５２ｃ、５２ｇおよび５２ｋのアノードに接続され、抵抗５１ｄの他端は残りの３個のＬＥＤ５２ｄ、５２ｈおよび５２ｌのアノードに接続される。
【０００７】
一方、残りの３個の制御端子５３ｅ〜５３ｇは、複数のＬＥＤ５２ａ〜５２ｌのうちの複数のＬＥＤのカソードに接続され、これらのＬＥＤ５２ａ〜５２ｌのカソードを選択的に低電位源、例えば接地に接続する。即ち、制御端子５３ｅは最初の４個のＬＥＤ５２ａ〜５２ｄのカソード、制御端子５３ｆは次の４個のＬＥＤ５２ｅ〜５２ｈのカソードおよび制御端子５３ｇは残りの４個のＬＥＤ５２ｉ〜５２ｌのカソードに接続される。
【０００８】
次に、図５に示す表示装置５０の動作を説明する。制御端子５３ａに正電圧が入力されると、制御端子５３ｅ、５３ｆ又は５３ｇが接地されることにより、それぞれＬＥＤ５２ａ、５２ｅ又は５２ｉが点灯される。次に、制御端子５３ｂに正電圧が入力されると、制御端子５３ｅ、５３ｆ又は５３ｇが接地されることにより、ＬＥＤ５２ｂ、５２ｆ又は５２ｊが選択的に点灯される。同様に、制御端子５３ｃに正電圧が入力されると、ＬＥＤ５２ｃ、５２ｇ又は５２ｋが選択的に点灯される。そして、制御端子５３ｄに正電圧が入力されると、ＬＥＤ５２ｄ、５２ｈ又は５２ｌが選択的に点灯される。
【０００９】
上述の如く、７個の制御端子５３ａ〜５３ｇのうち、選択的に正電圧が入力されるＬＥＤ５２のアノード側に接続される制御端子５３ａ〜５３ｄと、例えば選択的に接地されるＬＥＤ５２のカソード側に接続される制御端子５３ｅ〜５３ｇの組み合わせにより、１２個のＬＥＤ５２ａ〜５２ｌのうちの何れか１個を選択的に点灯可能にする。従って、これら複数（例えば、１２個）のＬＥＤ５２ａ〜５２ｌをパネル上に１列に並べて配置し、制御端子５３ａ〜５３ｇの入力電圧を切り替えることにより、複数のＬＥＤ５２を選択的に点灯可能である。或いは、ＬＥＤ５２の点灯状態により、制御端子５３に入力される制御信号を知ることが可能である。
【００１０】
また、図６に示す如く、相互に逆極性で接続されたＬＥＤ対に異なる方向に駆動電流を流すことにより、何れか一方のＬＥＤを点灯させるＬＥＤの駆動回路が開示されている（例えば、特許文献１参照。）。この駆動回路６０は、それぞれエミッタが接地されたトランジスタＴ１０およびＴ２０のコレクタ間にＬＥＤ対ＬＥＤ１およびＬＥＤ２が相互に並列且つ逆極性に接続される。これらトランジスタＴ１０およびＴ２０のコレクタには、それぞれエミッタに正電圧が印加された別のトランジスタＴ３２およびＴ３０のコレクタが接続される。また、これらトランジスタＴ３２およびＴ３０のベースには、それぞれイネーブル信号ＥＮが直接および他のトランジスタＴ３１を介して反転して入力される。
【００１１】
このＬＥＤ駆動回路６０は、トランジスタＴ１０、Ｔ３０およびＴ３１がオン状態のとき、図６中に実線で示す如くＬＥＤ１に駆動電流が流れ、このＬＥＤ１を点灯する。一方、トランジスタＴ２０およびＴ３２がオン状態のときは、図６中に点線で示す如く、ＬＥＤ２に駆動電流が流れ、このＬＥＤ２を点灯する。このように、相互に並列且つ逆極性に接続された１対のＬＥＤ１および２に、供給する駆動電流の方向を変えることにより、何れか一方のＬＥＤを選択的に点灯可能なＬＥＤ駆動回路が得られる。
【００１２】
【特許文献１】特開昭６１−４８０２４号公報（第２頁、第２図）
【発明の開示】
【発明が解決しようとする課題】
【００１３】
上述の如き従来の表示装置および駆動回路は、同じ個数の発光素子（ＬＥＤ）を選択駆動するための制御端子および／制御信号の個数が多く、そのために構成が複雑且つ大型化する。また、斯かる制御端子に制御信号を入力するための制御回路も、特に発光素子（ＬＥＤ）の個数が増加すると複雑且つ大型となる。
【００１４】
例えば、従来は、ワンチップマイクロコンピュータを使用した機器においてＬＥＤの表示制御する際に、１個のＬＥＤにつき1ビットの表示制御用信号を用い、ＬＥＤの点灯／消灯を制御していたため、複数のＬＥＤ点灯を制御する場合には、多くのビット数の表示制御用信号が必要であった。また、７４ＨＣ１６４等のシフトレジスタＩＣを用いることで２ビットの表示制御用信号で８個のＬＥＤ点灯を制御可能となるが、この場合には外付けＩＣが増加し、製造コストと実装面積の点で不利となってしまう。
【００１５】
本発明は、従来技術の上述した課題に鑑みなされたものであり、簡単な構成、即ち少ない制御端子および制御信号により多数のＬＥＤの点灯／消灯（又はオン／オフ）を制御可能にする表示装置およびその表示制御方法を提供することを目的とする。
【課題を解決するための手段】
【００１６】
（１）制御信号に基づいて複数の発光素子のうち選択された１個に駆動電流を流して発光させて表示する表示装置において、
前記制御信号が入力される複数の制御端子と、該複数の制御端子のうち各制御端子対間にそれぞれ対として相互に逆極性で並列接続された前記発光素子とを備え、
前記制御信号は、前記複数の制御端子対のうち点灯したい発光素子を含む発光素子対が接続されている制御端子対をＨ（高レベル）又はＬ（低レベル）とし、残りの制御端子をＺ（ハイインピーダンス）とする表示装置。
（２）前記複数の発光素子は、それぞれ所定位置に配置されたＬＥＤ（発光ダイオード）である上記（１）の表示装置。
（３）前記制御端子には、予め決められた抵抗値を有する抵抗が直列接続される上記（１）又は（２）の表示装置。
（４）前記制御端子に入力される前記制御信号は、トライステート論理回路から出力される上記（１）、（２）又は（３）の表示装置。
（５）複数の発光素子のうち制御信号に応じて選択された１個の発光素子を点灯する表示装置の表示制御方法において、
前記複数の発光素子をそれぞれ相互に逆極性で並列接続された１対の発光素子を含む対とするステップと、
該ステップで対とされた発光素子をそれぞれ複数の制御端子の異なる１対の制御端子間に接続するステップと、
前記複数対の制御端子のうち何れか１対の制御端子をＨ又はＬとし、残りの全ての制御端子をＺとする制御信号を入力するステップとを備え、
前記Ｈ又はＬの制御信号が入力された前記１対の発光素子のうち前記制御信号のＨ又はＬで決まる何れか一方の発光素子を点灯する表示装置の表示制御方法。
（６）前記複数の発光素子を、アプリケーションにより決まる所定位置に配列するステップを更に備える上記（５）の表示装置の表示制御方法。
（７）前記制御信号は、前記複数の制御端子に入力する前記Ｈ、ＬおよびＺを予めプログラムされ、前記複数の発光素子をダイナミック表示するステップを更に備える上記（５）又は（６）の表示装置の表示制御方法。
（８）前記複数の発光素子の発光色を異なる色に予め選定するステップを更に備える上記（５）、（６）又は（７）の表示装置の表示制御方法。
【発明の効果】
【００１７】
本発明の表示装置およびその表示制御方法によると、次の如き実用上の顕著な効果が得られる。即ち、少ない制御端子又は制御信号により多数の発光素子の点灯又は消灯が制御可能であるので、小型（コンパクト）、安価且つ低消費電力の表示装置が得られる。また、制御端子に入力される表示制御信号は、例えば市販の論理（ロジック）回路等で安価に実現可能である。更に、本発明の表示装置は、多数の発光素子を点灯又は消灯制御する種々のアプリケーションに応用可能である。
【発明を実施するための最良の形態】
【００１８】
以下、本発明による表示装置およびその表示制御方法の好適実施形態の構成および動作を、添付図面、特に図１〜図３を参照して詳細に説明する。
【００１９】
先ず、図１は、本発明による表示装置の基本原理を説明する説明図である。この表示装置１０は、それぞれ並列且つ相互に逆極性で接続された１対のＬＥＤ（発光素子）１２ａ、１２ｂ、制御信号が入力される１対の制御端子１３ａ、１３ｂおよびこれら制御端子１３に直列接続された抵抗（電流制限抵抗）１１ａ、１１ｂにより構成される。そして、１対のＬＥＤ１２ａ，１２ｂは、抵抗１１ａ、１１ｂの制御端子１３ａ、１３ｂから遠い端に接続されている。
【００２０】
制御端子１３ａ、１３ｂに入力される制御信号は、好ましくは論理（ロジック）信号である。一方の制御端子１３ａの制御信号がＨ（高レベル）であり、他方の制御端子１３ｂの制御信号がＬ（低レベル）であると、これら両制御信号の電圧差（即ち、論理レベル差）により制御端子１３ａから抵抗１１ａおよび一方のＬＥＤ１２ｂおよび抵抗１１ｂを介して制御端子１３ｂへ電流が流れ、一方のＬＥＤ１１ｂを駆動して点灯（又は発光）させる。他方、制御端子１３ａの制御信号がＬで制御端子１３ｂの制御信号がＨのときは、制御端子１３ｂ、抵抗１１ｂ、ＬＥＤ１２ａおよび抵抗１１ａを介して制御端子１３ａに電流が流れ、ＬＥＤ１２ａを駆動して点灯させる。ここで、ＬＥＤ１２ａ又は１２ｂの駆動電流は、制御信号の論理レベル差と抵抗１１ａ、１１ｂの抵抗値により決定される。
【００２１】
尚、抵抗１１ａおよび１１ｂは常時直列接続されるので、何れか一方の制御端子、例えば制御端子１３ａのみに１個の抵抗（例えば、１１ａを接続してもよい。その場合には、抵抗１１ａの抵抗値を抵抗１１ａおよび１１ｂの抵抗値の和（即ち、抵抗１１ａ又は１１ｂの抵抗値の２倍）に設定すると同様の機能（即ち、ＬＥＤ１２の駆動電流の制限）を果たすことが可能である。
【００２２】
次に、図２は、本発明による表示装置の好適実施形態の構成図である。この表示装置２０は、複数対（６対、即ち１２個）のＬＥＤを選択的に点灯する実施形態である。この表示装置２０では、相互に並列且つ逆極性関係の６対のＬＥＤ２２ａ−２２ｂ、２２ｃ−２２ｄ、２２ｅ−２２ｆ、２２ｇ−２２ｈ、２２ｉ−２２ｊおよび２２ｋ−２２ｌ、４個の制御端子２３ａ〜２３ｄおよびこれら制御端子２３にそれぞれ直列接続された抵抗２１ａ〜２１ｄにより構成される。
【００２３】
上述した６対のＬＥＤ２２は、それぞれ直列接続された抵抗２１を介して４個の制御端子２３のうちのそれぞれ２個の制御端子２３間に接続される。具体的には、ＬＥＤ対２２ａ−２２ｂは制御端子２３ａ−２３ｂ間に、ＬＥＤ対２２ｃ−２２ｄは制御端子２３ａ−２３ｃ間に、ＬＥＤ対２２ｅ−２２ｆは制御端子２３ｂ−２３ｃ間に、ＬＥＤ対２２ｇ−２２ｈは制御端子２３ａ−２３ｄ間に、ＬＥＤ対２２ｉ−２２ｊは制御端子２３ｂ−２３ｄ間に、およびＬＥＤ対２２ｋ−２２ｌは制御端子２３ｃ−２３ｄ間に接続される。
【００２４】
図２に示す表示装置２０において、制御端子２３ａ〜２３ｄには、論理制御回路（図示せず）から選択された何れか２個の制御端子の一方にＨ（論理高レベル）、他方にＬ（論理低レベル）および残りの２個の制御端子にＺ（ハイインピーダンス）となるような制御信号が入力される。即ち、制御回路は、任意構成の周知のトライステート論理回路である。斯かる論理制御回路は、当業者には周知の如く、例えば電源と接地間に直列接続された相互に逆極性又は導電形の１対のトランジスタ、例えばＰＮＰ形トランジスタとＮＰＮ形トランジスタ又はＮチャネル形ＭＯＳトランジスタとＰチャネル形ＭＯＳトランジスタを含む回路により構成される。
【００２５】
表示装置２０の動作を説明する。先ず、第１対のＬＥＤ２２ａ−２２ｂの点灯（オン）又は消灯（オフ）制御について説明する。この場合には、制御端子２３ａ−２３ｂの制御信号をＨ又はＬに、残りの制御端子２３ｃ−２３ｄをＺに制御する。制御端子２３ａがＬで、制御端子２３ｂがＨのとき、ＬＥＤ２２ａが点灯する。逆に、制御端子２３ａがＨで、制御端子２３ｂがＬのとき、ＬＥＤ２２ｂが点灯する。
【００２６】
次に、第２対のＬＥＤ２２ｃ−２２ｄの点灯又は消灯するには、制御端子２３ａおよび２３ｃの制御信号をＨ又はＬとし、残りの制御端子２３ｂおよび２３ｄをＺとする。制御端子２３ａがＬで、制御端子２３ｃがＨのとき、ＬＥＤ２２ｃが点灯する。逆に、制御端子２３ａがＨで、制御端子２３ｃがＬのとき、ＬＥＤ２２ｄが点灯する。以下同様に、第３対のＬＥＤ２２ｅ−２２ｆの点灯又は消灯には、制御端子２３ｂおよび２３ｃの制御信号をＨ又はＬとし、他の制御端子２３ａおよび２３ｄの制御信号をＺとする。第４対のＬＥＤ２２ｇ−２２ｈの点灯又は消灯には、制御端子２３ａおよび２３ｄの制御信号をＨ又はＬとし、他の制御端子２３ｂおよび２３ｃの制御信号をＺとする。また、第５対のＬＲＤ２２ｉ−２２ｊの点灯又は消灯には、制御端子２３ｂおよび２３ｄの制御信号をＨ又はＬとし、他の制御端子２３ａおよび２３ｃの制御信号をＺとする。最後に、第６対のＬＥＤ２２ｋ−２２ｌの点灯又は消灯には、制御端子２３ｃおよび２３ｄの制御信号をＨ又はＬとし、他の制御端子２３ａおよび２３ｂの制御信号をＺとする。
【００２７】
図３は、上述した制御端子２３とＬＥＤの点灯又は消灯状態の説明図である。このように、相互に逆極性で並列接続された１対のＬＥＤ２２ａ−２２ｂ、２２ｃ−２２ｄ、・・・・、２２ｋ−２２ｌが接続された１対の制御端子２３ａ−２３ｂ、２３ａ−２３ｃ、２３ｂ−２３ｃ、・・・の制御信号をＨ又はＬとし、他の制御端子の制御信号をＺとすることにより、最小限の制御端子（又は制御信号）で多くのＬＥＤ（発光素子）の点灯又は消灯を制御可能である。即ち、同じ１２個のＬＥＤの点灯又は消灯を制御する上述した従来技術（図５参照）および本発明（図２参照）を対比すると明らかな如く、従来技術では７個の制御端子および制御信号を必要としていたが、本発明では僅か４個でよく、略半減可能である。
【００２８】
以上、本発明による表示装置およびその表示制御方法を好適実施形態に基づいて詳述した。しかし、斯かる実施形態は、本発明の単なる例示に過ぎず、何ら本発明を限定するものではない。本発明の要旨や精神を逸脱することなく、特定用途に応じて種々の変形変更が可能であること、当業者には容易に理解できよう。
【００２９】
例えば、表示装置を構成するＬＥＤの個数は上述の実施形態の如く６対である必要はなく、それ以上又はそれ以下の個数であってもよい。また、ＬＥＤの発光色は、白、赤、青、緑、黄、オレンジ等の種々であるので、各対のＬＥＤを異なる発光色に選定してもよい。更に、制御端子２３に直列接続される抵抗２１は、上述の如くＬＥＤ２２の駆動電流を制限する電流制限抵抗であるので、制御端子２３に入力される制御信号の大きさ（電圧値、更に具体的には、ＨレベルとＬレベルの電圧差）および必要なＬＥＤ２２の発光輝度等により適宜選定され、周囲の明るさ等に応じて抵抗値を手動又は自動で可変するように構成してもよい。
【００３０】
本発明は、種々の用途に適用可能である。例えば、温度計や体温計の如く温度その他のセンサと組み合わせて検出値や計測値を発光素子の位置により示すスタティック表示装置に適用可能である。また、全てのＬＥＤ２２の表示制御をするためには、制御端子２３に入力される制御用信号を予め選定（又はプログラム）されたパターンで順次切り換えてダイナミック表示することも可能である。例えば、１２個のＬＥＤを一列に配置し、フリッカ（ちらつき）が発生しない周期でダイナミック表示することで棒状のレベルメータ表示が可能である。または円盤の外周に６０個のＬＥＤを円周状に配置し、それらのＬＥＤを例えば１秒毎に順次点灯することにより、時計の秒針の如く発光表示することも可能である。斯かる用途では、５個又は１５個毎のＬＥＤを異なる発光色としてもよい。更に他の応用例として、道路又は通路に並べた多数の発光素子を順次一定方向へ点灯することにより車両や歩行者の進行方向又は非常時の避難方向を指示することも可能である。また、本発明は、ワンチップマイクロコンピュータを用いた複数のＬＥＤ表示を行う各種の機器へ適用することも可能である。
【図面の簡単な説明】
【００３１】
【図１】本発明による表示装置の基本原理を説明する図である。
【図２】本発明による表示装置の好適実施形態を示す回路図である。
【図３】図２に示す表示装置の動作説明図である。
【図４】従来の表示装置の基本原理を説明する図である。
【図５】図４に示す表示装置の具体例を示す回路図である。
【図６】従来の表示装置の駆動回路の回路図である。
【符号の説明】
【００３２】
１０、２０  表示装置
１１，２１  抵抗
１２、２２  発光素子（ＬＥＤ）
１３、２３  制御端子
【図１】
2007249097.tif 000003
【図２】
2007249097.tif 000004
【図３】
2007249097.tif 000005
【図４】
2007249097.tif 000006
【図５】
2007249097.tif 000007
【図６】
2007249097.tif 000008